(57)【要約】【課題】運転席の足元付近に置くことなく、伐採装置を搭載することができる建設機械の提供。【解決手段】本発明は、旋回体２と、この旋回体２の前側に取り付けた作業装置３と、旋回体２に設けた運転席７と、この運転席７の前方に配置され、上部防護ガード１０及び下部防護ガード１１から成る防護ガードとを備えたミニショベルにおいて、作業装置３側である下部防護ガード１１の前面側に、木材の伐採に用いられるチェーンソー２５を保持する保持部２０を備えた構成となっている。下部防護ガード１１は、防護体例えば網部１０ｂと、この網部１０ｂを保持するフレーム１０ａとから成り、保持部２０をフレーム１０ａに固定してある。【選択図】図４
2015078567.tif 000002
【特許請求の範囲】
【請求項１】
本体と、この本体の前側に取り付けた作業装置と、上記本体に設けた運転席と、この運転席の前方に配置した防護ガードとを備えた建設機械において、
上記作業装置側である上記防護ガードの前面側に、木材の伐採に用いられる伐採装置を保持する保持部を備えたことを特徴とする建設機械。
【請求項２】
請求項１に記載の建設機械において、
上記防護ガードは、防護体と、この防護体を保持するフレームとから成り、上記保持部を上記防護ガードの上記フレームに固定したことを特徴とする建設機械。
【請求項３】
請求項２に記載の建設機械において、
上記保持部を上記防護ガードの下側部分に固定したことを特徴とする建設機械。
【請求項４】
請求項３に記載の建設機械において、
上記保持部は、上記伐採装置の長手方向が上下方向に沿うように、または左右方向に沿うように、上記伐採装置を保持するものから成ることを特徴とする建設機械。
【請求項５】
請求項１に記載の建設機械において、
当該建設機械が上記運転席を覆う４柱キャノピを備えたミニショベルから成り、上記保持部を上記４柱キャノピの前支柱に固定し、上記保持部は上記伐採装置の長手方向が上下方向に沿うように上記伐採装置を保持するものから成ることを特徴とする建設機械。
【発明の詳細な説明】
【技術分野】
【０００１】
本発明は、土砂、木材等から運転席を防護する防護ガードを備え、木材の伐採に用いられる伐採装置を搭載したミニショベル等の建設機械に関する。
【背景技術】
【０００２】
建設機械、例えばミニショベルは小回りが利くので、このミニショベルを木々が密集した森における木材の伐採に活用したいという要望が従来からある。この種の従来の建設機械として、特許文献１に示されるものがある。この従来技術は、ミニショベルによって構成されている。このミニショベルは、本体すなわち旋回体と、この旋回体の前側に取り付けられ、木材等の挟持、土砂の掘削等の作業が可能な作業装置と、旋回体に設けた運転席と、この運転席の前方に配置され、土砂、木材等から運転席を防護する防護ガードを備えている。
【０００３】
このようなミニショベルにあって、木材の伐採に用いられる伐採装置、例えばチェーンソーが搭載されることがある。この場合、後方小旋回型、超小旋回型などのように、ほぼ車幅内で旋回体が旋回するように形成されたミニショベルのような小型機械では、旋回体上の備品配置空間が非常に狭く、チェーンソーは通常、運転席が設置される床上の運転席の足元付近に置かれている。
【先行技術文献】
【特許文献】
【０００４】
【特許文献１】特開２００６−６３６８６号公報
【発明の概要】
【発明が解決しようとする課題】
【０００５】
前述したように、チェーンソーすなわち伐採装置を運転席の足元付近に置くようにした従来技術では、運転席の足元に操作ペダルが存在することから、伐採装置を置くことによって操作ペダルが動かされ、誤操作を生じる虞がある。また、伐採装置の鋸部分などの接触により伐採装置の周囲に配置されている部品が損傷する懸念もある。
【０００６】
本発明は、上述した従来技術における実情からなされたもので、その目的は、運転席の足元付近に置くことなく、伐採装置を搭載することができる建設機械を提供することにある。
【課題を解決するための手段】
【０００７】
この目的を達成するために、本発明は、本体と、この本体の前側に取り付けた作業装置と、上記本体に設けた運転席と、この運転席の前方に配置した防護ガードとを備えた建設機械において、上記作業装置側である上記防護ガードの前面側に、木材の伐採に用いられる伐採装置を保持する保持部を備えたことを特徴としている。
【０００８】
このように構成した本発明は、作業装置側である防護ガードの前面側に設けた保持部に伐採装置を保持させるようにしたことから、運転席の足元付近に置くことなく、伐採装置を搭載することができる。これによって伐採装置が操作ペダルや、運転席の足元付近に配置された周囲部品に接触することを回避できる。また、運転席の足元付近を広く確保することができる。
【０００９】
また本発明は、上記発明において、上記防護ガードは、防護体と、この防護体を保持するフレームとから成り、上記保持部を上記防護ガードの上記フレームに固定したことを特徴としている。
【００１０】
このように構成した本発明は、大きな強度を有する防護ガードのフレームに保持部を固定してあるので、長期間にわたって伐採装置を安定した状態で保持部に保持させることができる。
【００１１】
また本発明は、上記発明において、上記保持部を上記防護ガードの下側部分に固定したことを特徴としている。
【００１２】
このように構成した本発明は、防護ガードの下側部分に保持部を固定し、この保持部で伐採装置を保持させたことから、防護ガードの上側部分にあっては運転席に座ったオペレータの視界が伐採装置によって遮られることがない。したがって、運転席に座ったオペレータの作業装置による作業時等の良好な前方視界を確保することができる。
【００１３】
また本発明は、上記発明において、上記保持部は、上記伐採装置の長手方向が上下方向に沿うように、または左右方向に沿うように、上記伐採装置を保持するものから成ることを特徴としている。
【００１４】
また本発明は、上記発明において、当該建設機械が上記運転席を覆う４柱キャノピを備えたミニショベルから成り、上記保持部を上記４柱キャノピの前支柱に固定し、上記保持部は上記伐採装置の長手方向が上下方向に沿うように上記伐採装置を保持するものから成ることを特徴としている。
【００１５】
このように構成した本発明は、４柱キャノピの前支柱に保持部を固定し、この保持部で伐採装置を保持することから、運転席に座ったオペレータの視界が伐採装置によって遮られることがない。したがって、運転席に座ったオペレータの作業装置による作業時等の良好な前方視界を確保することができる。また、大きな強度を有する前支柱に保持部を固定してあるので、備品配置空間に制約を受ける当該ミニショベルにあって、長期間の間、伐採装置を安定した状態で搭載することができる。
【発明の効果】
【００１６】
本発明に係る建設機械は、作業装置側である防護ガードの前面側に備えた保持部に伐採装置を保持させるようにしたことから、運転席の足元付近に置くことなく、伐採装置を搭載することができる。これによって本発明は、伐採装置が操作ペダル及び運転席の足元付近に配置されている部品に接触することを回避でき、従来生じる虞のあった伐採装置による操作ペダルの誤操作を防止でき、また、運転席の足元付近に配置されている部品の伐採装置による損傷を防止することができる。また本発明は、伐採装置を搭載した建設機械に備えられる運転席の足元付近を広く確保することができ、これにより運転席に座ったオペレータの操作性を従来よりも向上させることができる。
【図面の簡単な説明】
【００１７】
【図１】本発明に係る建設機械の第１実施形態を構成するミニショベルを示す側面図である。
【図２】第１実施形態に係るミニショベルの旋回体部分を示す斜視図である。
【図３】図２の要部拡大斜視図である。
【図４】第１実施形態に備えられる保持部にチェーンソーを保持させた状態を示す斜視図である。
【図５】本発明の第２実施形態の要部を示す斜視図である。
【図６】本発明の第３実施形態の要部を構成する旋回体部分を示す斜視図である。
【図７】図６の要部拡大斜視図である。
【図８】第３実施形態に備えられる保持部にチェーンソーを保持させた状態を示す斜視図である。
【図９】本発明の第４実施形態の要部を構成する旋回体部分を示す斜視図である。
【図１０】第４実施形態に備えられる保持部にチェーンソーを保持させた状態を示す斜視図である。
【発明を実施するための形態】
【００１８】
以下、本発明に係る建設機械の実施の形態を図面に基づいて説明する。
【００１９】
図１は本発明に係る建設機械の第１実施形態を構成するミニショベルを示す側面図、図２は第１実施形態に係るミニショベルの旋回体部分を示す斜視図、図３は図２の要部拡大斜視図、図４は第１実施形態に備えられる保持部にチェーンソーを保持させた状態を示す斜視図である。
【００２０】
本発明の第１実施形態に係る建設機械は、小型機械を構成するミニショベルである。このミニショベルは、図１に示すように、走行体１と、この走行体１上に配置される旋回体２と、この旋回体２の前側位置に配置され、上下方向に回動可能な作業装置３とを備えている。走行体１と旋回体２は、このミニショベルの本体を構成している。作業装置３は、旋回体２に取り付けられるブーム４と、このブーム４の先端に取り付けられるアーム５と、このアーム５の先端に取り付けられ、木材等の挟持が可能な挟持具６とを含んでいる。旋回体２の旋回フレーム２ａ上には運転席７を配置してある。また、運転席７を覆うように、例えば４柱キャノピ８を設けてある。
【００２１】
図２〜４に示すように、運転席７の前方には、土砂、木材等から運転席７を防護する防護ガードを設けてある。この防護ガードは、例えば４柱キャノピ８の一対の前支柱８ａ，８ｂのそれぞれに両端が固定される前手摺り８ｃを境として、それぞれ上下に配置され、上側部分を形成する上部防護ガード１０と、下側部分を形成する下部防護ガード１１とによって構成されている。
【００２２】
上部防護ガード１０は、防護体、例えば網部１０ｂと、この網部１０ｂを保持するフレーム１０ａとから成り、フレーム１０ａが４柱キャノピ８の前支柱８ａ，８ｂのそれぞれに固定されている。同様に、下部防護ガード１１も、防護体、例えば網部１１ｂと、この網部１１ｂを保持するフレーム１１ａとから成り、フレーム１１ａが４柱キャノピ８の前支柱８ａ，８ｂのそれぞれに一体に設けた支持部１２，１３に、取り付け部１４を介して固定されている。
【００２３】
この第１実施形態は、作業装置３側である防護ガードの前面側に、例えば下部防護ガード１１の前面側に、木材の伐採に用いられる伐採装置、例えばチェーンソー２５を保持する保持部２０を備えている。
【００２４】
図３等に示すように、保持部２０は、それぞれコ字状の上部枠体２１及び下部枠体２２から成り、これらの上部枠体２１及び下部枠体２２は、下部防護ガード１１のフレーム１１ａに例えば溶接により一体に設けてある。
【００２５】
図４に示すように、チェーンソー２５は、伐採作業者によって把持される把持部２５ａと、自動鋸２５ｂとから成り、把持部２５ａが保持部２０の上部枠体２１に載置され、自動鋸２５ｂが上部枠体２１及び下部枠体２２に挿入された状態で保持部２０に保持されている。すなわち、保持部２０は、チェーンソー２５の長手方向が上下方向に沿うようにチェーンソー２５を保持するものから成っている。
【００２６】
このように構成した第１実施形態は、作業装置３側である下部防護ガード１１の前面側に設けた保持部２０にチェーンソー２５を保持させるようにしたことから、運転席７の足元付近に置くことなく、チェーンソー２５を搭載することができる。これによってチェーンソー２５が操作ペダルや、運転席７の足元付近の周囲部品に接触することを回避でき、チェーンソー２５による操作ペダルの誤操作を防止でき、操作ペダルや、運転席の足元付近に配置されている部品のチェーンソー２５による損傷を防止することができる。また、この第１実施形態は、チェーンソー２５を搭載したミニショベルに備えられる運転席７の足元付近を広く確保することができる。これにより本発明は、運転席７に座ったオペレータの操作性を向上させることができる。
【００２７】
また、この第１実施形態は、大きな強度を有する下部防護ガード１１のフレーム１１ａに保持部２０を固定してあるので、長期間にわたってチェーンソー２５を安定した状態で保持部２０に保持させることができ、信頼性の高いミニショベルを実現させることができる。
【００２８】
また、この第１実施形態は、防護ガードの下側部分、すなわち下部防護ガード１１に保持部２０を固定し、この保持部２０でチェーンソー２５を保持させたことから、防護ガードの上側部分、すなわち上部防護ガード１０にあっては運転席７に座ったオペレータの視界がチェーンソー２５によって遮られることがない。したがって、運転席７に座ったオペレータの作業装置３による作業時等の良好な前方視界を確保することができる。
【００２９】
図５は、本発明の第２実施形態の要部を示す斜視図である。
【００３０】
この図５に示す第２実施形態は、下部防護ガード１１のフレーム１１ａに取り付けブラケット３３ａ，３３ｂを溶接し、これらの取り付けブラケット３３ａ，３３ｂにボルト３４ａ，３４ｂを介して上部枠体３１、及び下部枠体３２を着脱可能に設けた構成にしてある。その他の構成は前述した第１実施形態と同等である。
【００３１】
このように構成した第２実施形態は、第１実施形態と同等の効果が得られる他、チェーンソー２５を保持する必要がない場合などにあっては、保持部３０を構成する上部枠体３１及び下部枠体３２を取り付けブラケット３３ａ，３３ｂから取り外すことによって、運転席７に座ったオペレータの下部防護ガード１１を通しての良好な視界を確保することができる。
【００３２】
図６は本発明の第３実施形態の要部を構成する旋回体部分を示す斜視図、図７は図６の要部拡大斜視図、図８は第３実施形態に備えられる保持部にチェーンソーを保持させた状態を示す斜視図である。
【００３３】
これらの図６〜８に示す第３実施形態は、４柱キャノピ８の前支柱８ａに保持部３５を構成する上部枠体３６、及び下部枠体３７を固定し、保持部３５はチェーンソー２５の長手方向が上下方向に沿うようにチェーンソー２５を保持するものから成っている。上部枠体３６は、チェーンソー２５の自動鋸２５ｂが挿入される筒状部３６ａと、上部枠体３６を前支柱８ａに取り付ける取り付け部３６ｂとを含んでいる。同様に、下部枠体３７も、チェーンソー２５の自動鋸２５ｂが挿入される筒状部３７ａと、下部枠体３７を前支柱８ａに取り付ける取り付け部３７ｂとを含んでいる。その他の構成は第１実施形態と同等である。
【００３４】
このように構成した第３実施形態は、４柱キャノピ８の前支柱８ａに保持部３５の上部枠体３６及び下部枠体３７を固定し、この保持部３５でチェーンソー２５を保持することから、第１実施形態と同等の効果が得られる他、運転席７に座ったオペレータの視界がチェーンソー２５によって遮られることがない。したがって、運転席７に座ったオペレータの作業装置３による作業時等の良好な前方視界を確保することができる。また、大きな強度を有する前支柱８ａに保持部３５を固定してあるので、備品配置空間に制約を受ける当該ミニショベルにあって、長期間の間、チェーンソー２５を安定した状態で搭載することができ、信頼性の高いミニショベルを実現できる。
【００３５】
図９は本発明の第４実施形態の要部を構成する旋回体部分を示す斜視図、図１０は第４実施形態に備えられる保持部にチェーンソーを保持させた状態を示す斜視図である。
【００３６】
これらの図９，１０に示す第４実施形態は、チェーンソー２５を保持する保持部４０が、下部防護ガード１１のフレーム１１ａに固定され、チェーンソー２５の把持部２５ａが載置される載置台４１と、この載置台４１の横方向に並設され、チェーンソー２５の自動鋸２５ｂが挿入される第１枠体４２及び第２枠体４３とを含んでいる。この第４実施形態の保持部４０は、チエーンソー２５の長手方向が左右方向に沿うように、チェーンソー２５を保持するものから成っている。その他の構成は第１実施形態と同等である。このように構成した第４実施形態も、第１実施形態と同等の効果を得ることができる。
【符号の説明】
【００３７】
２    旋回体（本体）
２ａ  旋回フレーム
３    作業装置
７    運転席
８    ４柱キャノピ
８ａ  前支柱
８ｂ  前支柱
８ｃ  前手摺り
１０    上部防護ガード
１１    下部防護ガード
１１ａ  フレーム
１１ｂ  網部（防護体）
２０    保持部
２１    上部枠体
２２    下部枠体
２５    チェーンソー（伐採装置）
２５ａ  把持部
２５ｂ  自動鋸
３０    保持部
３１    上部枠体
３２    下部枠体
３３ａ  取り付けブラケット
３３ｂ  取り付けブラケット
３４ａ  ボルト
３４ｂ  ボルト
３５    保持部
３６    上部枠体
３６ａ  筒状部
３６ｂ  取り付け部
３７    下部枠体
３７ａ  筒状部
３７ｂ  取り付け部
４０    保持部
４１    載置台
４２    第１枠体
４３    第２枠体
【図１】
2015078567.tif 000003
【図２】
2015078567.tif 000004
【図３】
2015078567.tif 000005
【図４】
2015078567.tif 000006
【図５】
2015078567.tif 000007
【図６】
2015078567.tif 000008
【図７】
2015078567.tif 000009
【図８】
2015078567.tif 000010
【図９】
2015078567.tif 000011
【図１０】
2015078567.tif 000012